(57)【要約】【課題】固定ルーフの内側に雨水等が浸入するのを好適に防止することができるサンルーフ装置の排水構造を提供する。【解決手段】車両の固定ルーフ５０に形成された開口部５１を閉じるパネル体１０と、固定ルーフの縁部５１ａに沿って配置されるとともに排水溝２２を備えたフレーム２と、フレーム２に取り付けられ、パネル体１０を支持するブラケット２４と、を備え、パネル体１０とブラケット２４との間に介設され、パネル体１０と固定ルーフ５０の縁部５１ａとのシール面を伝って浸入した雨水等を排水溝２２に導く排水誘導プレート５を備える構成とした。【選択図】図３
2015217900.tif 000002
【特許請求の範囲】
【請求項１】
車両の固定ルーフに形成された開口部を閉じるパネル体と、
前記固定ルーフの縁部に沿って配置されるとともに排水溝を備えたフレームと、
前記フレームに取り付けられ、前記パネル体を支持するブラケットと、を備え、
前記パネル体と前記ブラケットとの間に介設され、前記パネル体と前記固定ルーフの縁部とのシール面を伝って浸入した雨水等を前記排水溝に導く排水誘導プレートを備えたことを特徴とするサンルーフ装置の排水構造。
【請求項２】
前記排水誘導プレートの下端部は、前記フレームと前記ブラケットとの境界面よりも下方に位置していることを特徴とする請求項１に記載のサンルーフ装置の排水構造。
【請求項３】
前記排水誘導プレートの上端部は、前記ブラケットの上端部よりも上方に位置していることを特徴とする請求項１または請求項２に記載のサンルーフ装置の排水構造。
【請求項４】
前記パネル体に固着されるホルダと、前記ホルダの先端部に設けられるホルダ延出部と、を備え、
前記ホルダ延出部、前記排水誘導プレートおよび前記ブラケットは、締結部材によって共締めされていることを特徴とする請求項１から請求項３のいずれか１項に記載のサンルーフ装置の排水構造。
【請求項５】
前記ホルダ延出部と前記排水誘導プレートとの間には、平面視略ハット状のパネル支持部材が介設されており、
前記パネル体は、前記パネル支持部材によって前記排水誘導プレートから離間して支持されていることを特徴とする請求項４に記載のサンルーフ装置の排水構造。
【請求項６】
前記パネル支持部材には、前記締結部材の少なくとも一部を覆う覆い部が設けられていることを特徴とする請求項５に記載のサンルーフ装置の排水構造。
【発明の詳細な説明】
【技術分野】
【０００１】
本発明は、サンルーフ装置の排水構造に関する。
【背景技術】
【０００２】
従来、サンルーフ装置として、例えば、特許文献１に記載の構造が知られている。特許文献１のサンルーフ装置は、主として、車両の固定ルーフに設けられた開口部と、固定ルーフの縁部に沿って設けられた一対のサイドフレームと、開口部を覆うように配置されたパネル体と、を備えている。このようなサンルーフ装置に適用される排水構造として、例えば、図７（ａ）に示すような排水構造が知られている。
【０００３】
図７（ａ）に示す排水構造では、パネル体６０を支持するためのブラケット６１がサイドフレーム６２に取り付けられている。パネル体６０は、このブラケット６１を介して固定ルーフＲの開口部Ｒ１に配置され、シール部材６３を介して固定ルーフＲの縁部Ｒ２に密着している。
【０００４】
サイドフレーム６２には、車両の前後方向に延在するドレン溝６４が一体的に設けられている。ドレン溝６４は、固定ルーフＲの縁部Ｒ２の下方に配置されており、シール部材６３と縁部Ｒ２とのシール面を通じて雨水等が浸入してきた場合に、これを受けて排水する役割をなす。
【先行技術文献】
【特許文献】
【０００５】
【特許文献１】特開２００４−１１４９２８号公報
【発明の概要】
【発明が解決しようとする課題】
【０００６】
しかしながら、前記したサンルーフ装置の排水構造では、図７（ｂ）に示すように、パネル体６０のシール部材６３と固定ルーフＲの縁部Ｒ２とのシール面を伝って雨水等Ｗ１が浸入した場合に、雨水等Ｗ１がブラケット６１の上端部を越えて開口部Ｒ１側から固定ルーフＲ側に浸入するおそれがあった。また、ブラケット６１の側面６１ａを伝って流れた雨水等Ｗ２が、サイドフレーム６２とブラケット６１との境界面Ｙ１を伝って（境界面Ｙ１から染み込んで）開口部Ｒ１側から固定ルーフＲ側に浸入するおそれもあった。
【０００７】
本発明は、このような課題を解決するために創作されたものであり、ブラケットに対して開口部側から固定ルーフ側に雨水等が浸入するのを好適に防止することができるサンルーフ装置の排水構造を提供することを課題とする。
【課題を解決するための手段】
【０００８】
本発明は前記課題を解決するため、車両の固定ルーフに形成された開口部を閉じるパネル体と、前記固定ルーフの縁部に沿って配置されるとともに排水溝を備えたフレームと、前記フレームに取り付けられ、前記パネル体を支持するブラケットと、を備え、前記パネル体と前記ブラケットとの間に介設され、前記パネル体と前記固定ルーフの縁部とのシール面を伝って浸入した雨水等を前記排水溝に導く排水誘導プレートを備えたことを特徴とする。
【０００９】
かかる構成によれば、排水誘導プレートを備えることにより、パネル体と固定ルーフの縁部とのシール面を伝って浸入した雨水等を排水溝に好適に導くことができる。
【００１０】
また、前記排水誘導プレートの下端部は、前記フレームと前記ブラケットとの境界面よりも下方に位置していることが好ましい。
【００１１】
かかる構成によれば、フレームとブラケットとの境界面を伝って開口部側から固定ルーフ側に雨水等が浸入するのを確実に防止することができる。
【００１２】
また、前記排水誘導プレートの上端部は、前記ブラケットの上端部よりも上方に位置していることが好ましい。
【００１３】
かかる構成によれば、雨水等がブラケットの上端部を越えて開口部側から固定ルーフ側に浸入するのを確実に防止することができる。
【００１４】
また、前記パネル体に固着されるホルダと、前記ホルダの先端部に設けられるホルダ延出部と、を備え、前記ホルダ延出部、前記排水誘導プレートおよび前記ブラケットが、締結部材によって共締めされていることが好ましい。
【００１５】
かかる構成によれば、簡易な構造で排水誘導プレートをパネル体とブラケットとの間に介設することができる。
【００１６】
また、前記ホルダ延出部と前記排水誘導プレートとの間に、断面ハット状のパネル支持部材が介設されており、前記パネル体は、前記パネル支持部材によって前記排水誘導プレートから離間して支持されていることが好ましい。
【００１７】
かかる構成によれば、ホルダ延出部を伝ってきた雨水等が排水誘導プレート側（ブラケット側）へ流れるのを抑制することができる。
【００１８】
また、前記パネル支持部材に、前記締結部材の少なくとも一部を覆う覆い部が設けられているのが好ましい。
【００１９】
かかる構成によれば、覆い部によって締結部材が雨水等により濡れるのを防止することができるので、締結部材の劣化を好適に抑制することができる。
【発明の効果】
【００２０】
本発明のサンルーフ装置の排水構造によれば、ブラケットに対して開口部側から固定ルーフ側に雨水等が浸入するのを好適に防止することができる。
【図面の簡単な説明】
【００２１】
【図１】本発明の一実施形態に係るサンルーフ装置の排水構造が適用されるサンルーフ装置の概略構成を示す斜視図である。
【図２】（ａ）は要部の詳細を示す部分拡大斜視図、（ｂ）は同じく要部の詳細を示す部分拡大平面図である。
【図３】図２（ｂ）におけるＡ−Ａ線拡大断面図である。
【図４】ブラケット、排水誘導プレートおよびパネル支持部材の位置関係を前方斜め上方から見た斜視図である。
【図５】パネル支持部材による固定状態を開口部側から見た拡大斜視図である。
【図６】雨水等が浸入した際の排水の様子を示す作用説明図である。
【図７】従来技術を示す図であり、（ａ）は要部の断面図、（ｂ）は雨水等が浸入した際の排水の様子を示す要部の断面図である。
【発明を実施するための形態】
【００２２】
以下、本発明に係るサンルーフ装置の排水構造が適用されるサンルーフ装置の実施形態について図面を参照して説明する。なお、以下の説明において、「前後」、「左右」、「上下」をいうときは、図１，２（ａ）に示した方向を基準とする。また、本実施形態では、サンルーフ装置の左右における排水構造を例にとって説明するが、排水構造が適用される部位を限定する趣旨ではない。
【００２３】
図１において、サンルーフ装置１は、車両である自動車の固定ルーフ５０に形成された略矩形状の開口部５１に装着される固定式のパネル体１０および開閉式のパネル体１８を備える。開閉式のパネル体１８は、例えばオープン時には後方の固定式のパネル体１０に向けてスライド移動可能である。
【００２４】
開口部５１を形成している固定ルーフ５０の周縁部の下方には、フレーム枠として、左右の縁部５１ａ（図３参照、以下同じ）に沿って前後方向に延在する左右のサイドフレーム２，２と、前縁に沿って左右方向に延在する前フレーム３と、後縁に沿って左右方向に延在する後フレーム４と、が配置されている。なお、左右のサイドフレーム２，２は、左右対称の略同一構造のため、以下の説明では、車両の左側の構造について説明する。
【００２５】
左サイドフレーム２は、例えば、アルミニウム合金等で形成されており、全長にわたって略同一の断面形状を有している。左サイドフレーム２は、図３に示すように、固定ルーフ５０の内側に配置されるフランジ部２１と、フランジ部２１に連続して開口部５１内に延在する排水溝２２と、排水溝２２に隣接して形成されたレール溝２３とを有している。
【００２６】
フランジ部２１は、図２（ａ）（ｂ）に示すように、板状を呈する。フランジ部２１の上面の後側には、パネル体１０を支持するためのブラケット２４が取り付けられている。ブラケット２４は、図１に示すように、左サイドフレーム２に沿って前後方向に延在しており、板状部２４ｅと、板状部２４ｅに一体的に設けられた取付部２４ａおよび立上り部２４ｂとを備える。ブラケット２４は、図３に示すように、正面視で略Ｌ字形状を呈している。
【００２７】
取付部２４ａは、図１に示すように、ブラケット２４の前端および後端の２箇所に設けられている。取付部２４ａは、図３に示すように、フランジ部２１を通じて取付部２４ａに挿通される取付ボルト２４ｃにナット２４ｄを螺合させることによってフランジ部２１に固定されている。立上り部２４ｂは、図１に示すように、ブラケット２４の前端、後端、および前後方向の中央部の計３箇所に設けられている。立上り部２４ｂには、排水誘導プレート５およびパネル体１０を支持するためのパネル支持部材１１（図２（ｂ），図４参照）が固定される。
【００２８】
なお、ブラケット２４は、図３に示すように、フランジ部２１の右端角部２１ａ（排水溝２２の左上端部）よりも右側方に立上り部２４ｂが突出する状態にオフセットされて固定されている。これにより、立上り部２４ｂの右側面２４ｂ１に固定される排水誘導プレート５は、排水溝２２の上方に配置されることとなる。
【００２９】
フランジ部２１の右端角部２１ａは、排水溝２２の内側に向けて部分的に突出している。これによって、排水溝２２を流れる雨水等がフランジ部２１と取付部２４ａとの境界面Ｙ１に浸入しづらくなっている。
【００３０】
排水溝２２は、固定ルーフ５０縁部５１ａに沿って前後方向に延在しており、開口部５１内に浸入してきた雨水等を排出する役割をなす。排水溝２２は、図３に示すように、フランジ部２１の右端角部２１ａに連続する縦壁２２ａ１および傾斜壁２２ａ２と、傾斜壁２２ａ２に連続する底壁２２ｂと、レール溝２３を構成している左ガイド壁２３ａとで囲われて断面略コ字形状に形成されている。このような排水溝２２は、正面視で固定ルーフ５０の縁部５１ａの下方（パネル体１０の端部１５ａの下方）に配置されている。傾斜壁２２ａ２は、その傾斜面が排水溝２２の中央部に向けて傾いている。
【００３１】
なお、排水溝２２の前部および後部には、図示しない排水部材が設けられている。排水溝２２に流れ込んだ雨水等は、排水部材を通じて車外へ排出されるようになっている。
【００３２】
レール溝２３は、開閉式のパネル体１８の左右の図示しない側端部を前後移動自在に支持する溝であり、左ガイド壁２３ａと、底壁２３ｂと、右ガイド壁２３ｃと、で構成されている。右ガイド壁２３ｃの上面には、パネル体１８に密着するシール部材２３ｄが取り付けられている。
【００３３】
排水誘導プレート５は、金属製の略平板状を呈する部材である。排水誘導プレート５は、フランジ部２１に対して略垂直であり、かつ、ブラケット２４に沿って前後方向に延在している。排水誘導プレート５は、雨水等を排水溝２２に誘導する役割をなす。排水誘導プレート５は、図３に示すように、パネル支持部材１１とブラケット２４の立上り部２４ｂとの間に介設され、パネル支持部材１１、排水誘導プレート５および立上り部２４ｂに挿通された固定ボルト６ａにナット６ｂを螺合させることで立上り部２４ｂに固定されている。つまり、ホルダ延出部１２、排水誘導プレート５および立上り部２４ｂ（ブラケット２４）は、固定ボルト６ａとナット６ｂとの螺合によって共締めされている。なお、固定ボルト６ａおよびナット６ｂは、特許請求の範囲における「締結部材」に相当する。
【００３４】
排水誘導プレート５は、基部５ａと、基部５ａの下端に連続する下部５ｂと、基部５ａの上端に連続する上部５ｃと、を備えている。基部５ａは、図３に示すように、ブラケット２４の立上り部２４ｂの右側面２４ｂ１の全体（ブラケット２４の側面の全体、図２（ａ）参照）を覆うようにして立上り部２４ｂに固定されている。本実施形態では、図３に示すように、境界面Ｙ１（当接面）の右側延長上に基部５ａが位置しており、境界面Ｙ１を基部５ａが覆っている。これによって、排水溝２２の中央部側から見て、境界面Ｙ１は、基部５ａによって隠れた状態となっている。
【００３５】
下部５ｂは、基部５ａの下端から開口部５１側へ向けて傾斜しており、雨水等を排水溝２２の左右中央部へ導く役割をなす。下部５ｂは、境界面Ｙ１よりも下方に位置しており、下部５ｂの下端部５ｂ１は、排水溝２２の底部２２ｂに近接している。上部５ｃは、基部５ａの上端から開口部５１とは反対側（フランジ部２１側、固定ルーフ５０側）へ折曲形成されており、ブラケット２４の立上り部２４ｂの上端部よりも上方に位置し立上り部２４ｂを上方から覆っている。また、上部５ｃは、図３に示すように、下端部５１ｂの下端よりも左側方であり、かつ、上方に位置している。なお、排水誘導プレート５は、例えば、合成樹脂製とすることができる。
【００３６】
パネル体１０のパネル支持部材１１は、図２（ｂ）に示すように、平面視で略ハット状を呈しており、その中央部がホルダ延出部１２から排水誘導プレート５へ向けて膨出している。バネル支持部材１１は、固定受け部１１ａと、固定受け部１１ａの前側に連続する前側フランジ１１ｂと、固定受け部１１ａの後側に連続する後側フランジ１１ｃとを備えている。固定受け部１１ａは、前記したように、ブラケット２４の立上り部２４ｂとともに固定ボルト６ａとナット６ｂとの螺合によって立上り部２４ｂに固定されている。固定受け部１１ａには、図５に示すように、パネル体１０のホルダ延出部１２の垂下部１２ｅに形成された切込部１２ａが係合される。前側フランジ１１ｂは、ホルダ延出部１２の切込部１２ａを通じて垂下部１２ｅの右側面に配置され、切込部１２ａの前縁部１２ｂに当接される。また、後側フランジ１１ｃは、同様に、切込部１２ａを通じて垂下部１２ｅの右側面に配置され、切込部１２ａの後縁部１２ｃに当接される。後側フランジ１１ｃは、ボルト７ａとナット７ｂとの螺合によって後縁部１２ｃに固定されている。このようなパネル支持部材１１によって、パネル体１０は、排水誘導プレート５から離間して支持される。
【００３７】
なお、図４に示すように、固定受け部１１ａの上部には、覆い部１１ａ１が一体的に形成されている。覆い部１１ａ１は、固定ボルト６ａの頭部の上方を覆っている。これによって、後記するようにシール面を伝って雨水等が浸入してきた場合に、固定ボルト６ａに雨水等がかかり難い構造となっている。
【００３８】
固定式のパネル体１０は、図３に示すように、サンルーフパネル１３と、ホルダ１４と、シール部材１５と、を備えて構成される。サンルーフパネル１３は、ガラス製の他、アクリル樹脂、ポリカーボネート樹脂などの硬質樹脂や、鋼板等により形成される。サンルーフパネル１３の下面の周縁部に沿ってホルダ１４が取り付けられる。
【００３９】
ホルダ１４は、金属板のプレス成形等によって製造され、サンルーフパネル１３の補強部材（補強枠）として機能する。ホルダ１４の先端部には、ホルダ延出部１２が一体的に設けられている。ホルダ１４は、サンルーフパネル１３の下面に固着されている。
【００４０】
シール部材１５は、保持部材１５ｂを介してサンルーフパネル１３の周縁部１３ａに取り付けられている。シール部材１５は、固定ルーフ５０の縁部５１ａとサンルーフパネル１３との間をシールする。シール部材１５は、固定ルーフ５０の縁部５１ａに密接して雨水等の浸入を防止している。
【００４１】
シール部材１５は、先端部に比較的潰れ易いように中空に形成された当接部１５ｃを備えている。シール部材１５は、例えば、エチレンプロピレンゴム（ＥＰＤＭ）等の弾性を有する材料から形成され、一様な断面形状を有している。
【００４２】
開閉式のパネル体１８は、前記したレール溝２３によって前後移動自在に設けられており、オープン時には後方の固定式のパネル体１０の下方に収納可能である。なお、開閉式のパネル体１８は、複数のパネルで構成してもよい。また、開閉式のパネル体１８は、オープン時に後方の固定式のパネル体１０の上方に位置する構成であってもよい。
【００４３】
次に、パネル体１０のシール部材１５と固定ルーフ５０の縁部５１ａとの間を伝って仮に雨水等が浸入した場合の作用について、図６を参照して説明する。なお、図６では説明の便宜上、固定ボルト２４ｃ等の構成を不図示としてある。図６に示すように、シール部材１５と縁部５１ａとの間（シール面）を伝って雨水等が浸入すると、一部の雨水等Ｗ３はホルダ延出部１２の上面を流れ、排水溝２２に滴下される。
【００４４】
また、一部の雨水等Ｗ４は、固定ルーフ５０の縁部５１ａに沿って流れ、排水溝２２に滴下されるか、もしくは縁部５１ａの下端部５１ｂからブラケット２４に向けて流れる。ブラケット２４の立上り部２４ｂの右側面２４ｂ１には、排水誘導プレート５が取り付けられているので、ブラケット２４に向けて流れてきた雨水等Ｗ４は、排水誘導プレート５に沿って流れ、排水誘導プレート５の下部５ｂの下端部５ｂ１から排水溝２２に滴下される。
【００４５】
つまり、雨水等Ｗ４は、ブラケット２４の上端部を越えて開口部５１側から固定ルーフ５０側に浸入することなく、排水誘導プレート５の右側面を流れて排水溝２２に好適に導かれる。また、雨水等Ｗ４は、フランジ部２１と取付部２４ａとの境界面Ｙ１に浸入することなく排水溝２２に好適に導かれる。
【００４６】
以上説明した本実施形態のサンルーフ装置の排水構造によれば、排水誘導プレート５を備えることにより、パネル体１０と固定ルーフ５０の縁部５１ａとのシール面を伝って浸入した雨水等Ｗ４を排水溝２２に好適に導くことができる。
【００４７】
また、排水誘導プレート５の下端部５ｂ１（下部５ｂ）は、フランジ部２１と取付部２４ａとの境界面Ｙ１よりも下方に位置しているので、境界面Ｙ１を伝って開口部５１側から固定ルーフ５０側に（固定ルーフ５０の下方であり、排水誘導プレート５よりも左側）に雨水等Ｗ４が浸入するのを確実に防止することができる。
【００４８】
また、排水誘導プレート５の上端部５ｃ１（上部５ｃ）は、ブラケット２４の上端部よりも上方に位置しており、かつ、下端部５１ｂの下端よりも上方に位置しているので、雨水等Ｗ４がブラケット２４の上端部を越えて開口部５１側から固定ルーフ５０側に浸入するのを確実に防止することができる。
【００４９】
さらに、ホルダ延出部１２、排水誘導プレート５および立上り部２４ｂ（ブラケット２４）が、固定ボルト６ａとナット６ｂとの螺合によって共締めされているので、簡易な構造で排水誘導プレート５をパネル体１０とブラケット２４との間に介設することができる。
【００５０】
また、パネル体１０は、パネル支持部材１１によって排水誘導プレート５から離間して支持されているので、ホルダ延出部１２を伝ってきた雨水等が排水誘導プレート５側（ブラケット２４側）へ流れるのを抑制することができる。
【００５１】
また、パネル支持部材１１の覆い部１１ａ１によって、固定ボルト６ａの頭部が雨水等により濡れるのを防止することができるので、固定ボルト６ａ、ひいてはナット６ｂの劣化を好適に抑制することができる。
【００５２】
以上本発明の実施形態について説明したが、本発明は、上記した実施形態に限定されることはなく、例えば、以下のように種々変形することができる。
例えば、前記実施形態では、排水誘導プレート５の基部５ａが境界面Ｙ１を側方から覆うように構成したが、これに限られることはなく、境界面Ｙ１が排水誘導プレート５によって完全に覆われていない構造であっても、排水誘導プレート５の側面を伝って流れてきた雨水等が境界面Ｙ１に向けて流れないように構成されていればよい。
【００５３】
また、前記実施形態では、排水誘導プレート５の上部５ｃを固定ルーフ５０の内側へ折曲形成したものを示したが、これに限られることはなく、雨水等がブラケット２４の上端部を越えて開口部５１側から固定ルーフ５０側に浸入するのを防止するものであれば、種々の形状を採用し得る。
【符号の説明】
【００５４】
１      サンルーフ装置
２      サイドフレーム（フレーム）
５      排水誘導プレート
５ｂ１    下端部
５ｃ１    上端部
１０    パネル体
２２    排水溝
２４    ブラケット
５０    固定ルーフ
５１    開口部
５１ａ    縁部
Ｙ１    境界面
【図１】
2015217900.tif 000003
【図２】
2015217900.tif 000004
【図３】
2015217900.tif 000005
【図４】
2015217900.tif 000006
【図５】
2015217900.tif 000007
【図６】
2015217900.tif 000008
【図７】
2015217900.tif 000009